(57)【要約】【課題】ラベルと袋体の各印字部に対して一度の印字動作で同時に印字できて、印字した情報の照合が容易であるラベルシート付き袋体を提供する。【課題の解決手段】ラベルシート付き袋体１は、表紙２と裏紙３とを三周縁で綴じ合わせ、一縁を開口５してなる袋体１ａの表出面に情報印字部１６，１７を設け、袋体１ａの一端にミシン目９を境にしてラベルシート１０を一体的に設け、このラベルシート１０には表出面に情報印字部を有するラベル１５を剥離可能に設けるとともに、ラベル１５の情報印字部は袋体１ａの情報印字部１６，１７と同一面側に位置する。【選択図】　　図１
2004059108.tif 000002
【特許請求の範囲】
【請求項１】
表紙と裏紙とを三周縁で綴じ合わせ、一縁を開口してなる袋体の表出面に情報印字部を設け、前記袋体の一端にラベルシートを設け、前記ラベルシートには表出面に情報印字部を有するラベルを剥離可能に設けるとともに、前記ラベルの情報印字部は前記袋体の情報印字部と同一面側に位置することを特徴とするラベルシート付き袋体。
【請求項２】
情報印字部は、医薬品情報印字部を有することを特徴とする請求項１記載のラベルシート付き袋体。
【請求項３】
表紙または裏紙の一方は、透視可能な合成樹脂フィルムからなり、表紙または裏紙の他方は、基材の一面に粘着剤を塗布するとともに、この粘着剤を剥離紙で被覆してなり、ラベルシートは、前記表紙または裏紙の他方を延設して一体的に設けるとともに、ラベルを前記基材にスリットおよび／またはミシン目で区画形成したことを特徴とする請求項１又は請求項２に記載のラベルシート付き袋体。
【請求項４】
表紙または裏紙の一方は、基材の一面に粘着剤を塗布するとともに、この粘着剤を剥離紙で被覆してなるとともに、前記剥離紙によって表紙または裏紙の他方と綴じ合わせてなり、袋体の開口に対応する前記剥離紙を剥離することによって、前記開口を封鎖する封緘片を形成することを特徴とする請求項１又は請求項２に記載のラベルシート付き袋体。
【請求項５】
ラベルシートは、基材の一面に粘着剤を塗布して、この粘着剤を剥離紙で被覆し、ラベルを前記基材にスリットおよび／またはミシン目で区画形成してなるとともに、その一端を表紙または裏紙の一端に接着したことを特徴とする請求項１又は請求項２に記載のラベルシート付き袋体。
【発明の詳細な説明】
【０００１】
【発明の属する技術分野】
本発明は、薬品や部品などの各種物品を収容する袋体に関し、より詳細にはラベルシートを付設した袋体に関する。
【０００２】
【従来の技術】
従来の袋体、例えば薬局や病院などの医療機関で使用する医薬品を収容するための袋体（一般に薬袋と称される）は、通常、表紙と裏紙からなり、表紙の表出面に患者名と収納した薬品の名称などを記入する記入部を有するが、この記入部への記入は、処方箋に記載された所定事項を薬剤師や看護師が手書きで書き写している。また、例えば、各種の小さな部品を収納する袋体も、表紙と裏紙からなり、表紙の表出面に使用対象製品と収容した部品の名称や品番などを記入する記入部を有するが、この記入部への記入は、注文票に記載された所定事項を作業者が手書きで書き写している。
【０００３】
【発明が解決しようとする課題】
このため、従来においては、記入部への記入ミスや、袋体への収納物の取り違えなどが発生し、このようなミスによって、投薬や組立作業において事故を起こす虞がある。本発明は、このような事情に鑑みてなされたもので、手書き記入を不要とし、また、袋体と収容物の照合を容易にすることができる袋体を提供することを目的とする。
【０００４】
【課題を解決するための手段】
この目的を達成するため、本発明の請求項１に係るラベルシート付き袋体は、表紙と裏紙とを三周縁で綴じ合わせ、一縁を開口してなる袋体の表出面に情報印字部を設け、前記袋体の一端にラベルシートを設け、前記ラベルシートには表出面に情報印字部を有するラベルを剥離可能に設けるとともに、前記ラベルの情報印字部は前記袋体の情報印字部と同一面側に位置することを特徴とする。
【０００５】
同じく上述の目的を達成するため、本発明の請求項２に係るラベルシート付き袋体は、上記請求項１の構成における情報印字部が、医薬品情報印字部を有することを特徴とする。すなわち、薬袋に適用したものである。
【０００６】
同じく上述の目的を達成するため、本発明の請求項３に係るラベルシート付き袋体は、上記請求項１又は請求項２の構成において、表紙または裏紙の一方は、透視可能な合成樹脂フィルムからなり、表紙または裏紙の他方は、基材の一面に粘着剤を塗布するとともに、この粘着剤を剥離紙で被覆してなり、ラベルシートは、前記表紙または裏紙の他方を延設して一体的に設けるとともに、ラベルを前記基材にスリットおよび／またはミシン目で区画形成したことを特徴とする。
【０００７】
同じく上述の目的を達成するため、本発明の請求項４に係るラベルシート付き袋体は、上記請求項１又は請求項２の構成において、表紙または裏紙の一方は、基材の一面に粘着剤を塗布するとともに、この粘着剤を剥離紙で被覆してなるとともに、前記剥離紙によって表紙または裏紙の他方と綴じ合わせてなり、袋体の開口に対応する前記剥離紙を剥離することによって、前記開口を封鎖する封緘片を形成することを特徴とする。
【０００８】
同じく上述の目的を達成するため、本発明の請求項５に係るラベルシート付き袋体は、上記請求項１又は請求項２の構成において、ラベルシートは、基材の一面に粘着剤を塗布して、この粘着剤を剥離紙で被覆し、ラベルを前記基材にスリットおよび／またはミシン目で区画形成してなるとともに、その一端を表紙または裏紙の一端に接着したことを特徴とする。
【０００９】
【発明の実施の形態】
以下、本発明を薬袋に適用した場合の好適な実施形態を添付図面に基づいて詳細に説明する。ここにおいて、図１は第１の実施形態を示す平面図、図２はそのＡ−Ａ線断面図、図３は第２の実施形態たる開口を第１の実施形態とは反対側に設けた実施形態を示す断面図、図４は第３の実施形態たる封緘片を設けた実施形態を示す平面図、図５はそのＢ−Ｂ線断面図、図６は開口を封鎖した状態の断面図、図７は第４の実施形態たるラベルシートを袋体と別体に形成した実施形態を示す断面図である。
【００１０】
まず、第１の実施形態を説明する。図１及び図２に示すように、ラベルシート付き薬袋１は、表紙２と裏紙３の三周縁を接着剤４で接着して綴じ合わせ、一縁は非接着状態として薬品を出し入れする開口５とした薬袋１ａと、ラベルシート１０とからなる。前記表紙２と前記裏紙３の開口５端は、前記裏紙３を若干長く延出して前記開口５における薬品の出し入れを容易にしている。前記表紙２は、透明で印字可能な合成樹脂フィルム、例えば透明なＰＥＴフィルムからなる。一方、前記裏紙３は、上質紙からなる基材６の裏面側に粘着剤７を塗布し、この粘着剤７を剥離紙８で被覆してなる。
【００１１】
またラベルシート１０は、裏紙３の開口５端とは反対側を延設し、ミシン目９を境として前記裏紙３と一体的に設けている。このラベルシート１０は、前記裏紙３と同様に、上質紙からなる基材１１の裏面側に粘着剤１２を塗布し、この粘着剤１２を剥離紙１３で被覆してなる。そして、前記基材１１にスリット１４で複数のラベル１５を区画形成する。
【００１２】
図１で明らかなように、表紙２の表出面には、患者名を印字する患者名印字欄１７と薬品名や服用法などを印字する医薬品情報印字部たる薬品情報印字欄１８を設けている。この表紙２の印字面である表出面には、印字適性を向上させるために、プリンタに応じた処理、例えばインキジェットプリンタであれば、インキジェット受容層の形成を行うと好適である。また、各ラベル１５の表出面は、薬品名や服用法などを印字する医薬品情報印字部となり、この医薬品情報印字部と前記患者名印字欄１６及び前記薬品情報印字欄１７とは同一面側に位置している。なお、各ラベル１５は、薬袋１ａに収容する薬品の容器などに貼着するものである。
【００１３】
本実施形態は以上のように構成したので、インキジェットプリンタなどの適宜な公知のプリンタを用いて、薬袋１ａの表紙２における患者名印字欄１６及び前記薬品情報印字欄１７と、各ラベル１５における医薬品情報印字部に、所定の情報を印字する。この印字は、プリンタを出力装置として接続したコンピュータの記憶部（いずれも図示せず）に、コード化した薬品と１対１で対応する薬品名、製薬会社名、成分、用法、用量をあらかじめ入力してなる、薬品データベースを使用すると好適である。
【００１４】
このようにして、所定の情報（図示せず）を印字後、ミシン目９を破断してラベルシート１０を分離した薬袋１ａに、薬品名に対応する薬品を収容するにあたり、対応する情報が印字されたラベル１５をラベルシート１０の剥離紙１３から剥離し、カプセル剤や錠剤を封入した薬品シート（図示せず）の薬品取り出し面とは反対面側の適所、あるいはビンなどの容器の適所に、露出した裏面側の粘着剤１２によって貼着する。
【００１５】
このラベル１５の貼着にあたっては、薬袋１ａの表紙２に印字された情報とラベル１５に印字された情報とを照合しつつ、収容する薬品を確認して行うことができるので、薬品の入れ間違いを避けることができる。また、薬袋１ａ内に薬品を収容後にも、透明な表紙２を透して薬品の確認が可能である。一方、薬袋１ａを受け取った患者は、薬品を服用する際に、薬袋１ａの薬品情報印字欄１７に印字された情報とラベル１５に印字された情報とを照合するとともに、印字された患者名を確認することによって、自己に出された薬品であることを容易、かつ確実に判断でき、誤った薬品を服用する虞はない。
【００１６】
続いて、図３に基づき第２の実施形態を説明する。本実施形態のラベルシート付き薬袋２１が上述した第１の実施形態のラベルシート付き薬袋１と相違する点は、開口２５の位置だけであり、他の構成及び作用は上述した第１の実施形態と同様であるから、対応する構成要素に同一符号を付するに止め、その詳細な説明は省略する。
【００１７】
次に、図４〜図６に基づき第３の実施形態を説明する。図４及び図５に示すように、ラベルシート付き薬袋３１は表紙３２と裏紙３３の三周縁を接着剤３４で接着して綴じ合わせ、一縁は非接着状態として薬品を出し入れする開口３５とした薬袋３１ａと、ラベルシート４０とからなる。前記表紙３２と前記裏紙３３の開口３５端は、前記表紙３２を若干長く延出して前記開口３５における薬品の出し入れを容易にしている。前記表紙３２は、上質紙からなる基材３６の裏面側に粘着剤３７を塗布し、この粘着剤３７を剥離紙３８で被覆してなる。一方、前記表紙３２の剥離紙３８側に綴じ合わされた前記裏紙３３は、透明で印字可能な合成樹脂フィルム、例えば透明なＰＥＴフィルムからなる。
【００１８】
ラベルシート４０は、表紙３２の開口３５端とは反対側を延設し、ミシン目３９を境として前記表紙３２と一体的に設けている。このラベルシート４０は、前記表紙３２と同様に、上質紙からなる基材４１の裏面側に粘着剤４２を塗布し、この粘着剤４２を剥離紙４３で被覆してなる。そして、前記基材４１にスリット４４で複数のラベル４５を区画形成している。
【００１９】
図４で明らかなように、表紙３２の表出面には、患者名を印字する患者名印字欄４６と薬品名や服用法などを印字する医薬品情報印字部たる薬品情報印字欄４７を設けている。また、各ラベル４５の表出面は、薬品名や服用法などを印字する医薬品情報印字部となり、この医薬品情報印字部と前記患者名印字欄４６及び前記薬品情報印字欄４７とは同一面側に位置している。なお、各ラベル４５は、薬袋３１ａに収容する薬品の容器などに貼着するものである。
【００２０】
図４及び図５に示すように、表紙３２の基材３６には、裏紙３３の開口３５端に対応位置して、ハーフスリット４８を設けている。また、表紙３２の剥離紙３８には、同じく裏紙３３の開口３５端に対応位置して、スリット４９を設けている。前記基材３６の前記ハーフスリット４８から端部側で封緘片３６ａを構成する。
【００２１】
本実施形態は、以上のように構成したので、第１の実施形態と同様にして、表紙３２の患者名印字欄４６、薬品情報印字欄４７及びラベル４５の医薬品情報印字部に、所定の情報を印字したうえ、ミシン目３９を破断してラベルシート４０を分離した薬袋３１ａ内に、印字情報が対応する薬品Ｘにラベル４５を貼付してこの薬品Ｘを収容することができる。図６に示すように、薬袋３１ａにラベル４５を貼付した薬品Ｘを収容した後、スリット４９から端縁側の剥離紙３８を剥離し、封緘片３６ａをハーフスリット４８で裏紙３３側に折り曲げて、この封緘片３６ａを露出した粘着剤３７で前記裏紙３３に接着し、開口３５を封鎖することができる。
【００２２】
次に、図７に基づき第４の実施形態を説明する。ラベルシート付き薬袋５１は、表紙５２と裏紙５３の三周縁を接着剤５４で接着して綴じ合わせ、一縁は非接着状態として薬品を出し入れする開口５５とした薬袋５１ａと、ラベルシート６０とからなる。前記表紙５２と前記裏紙５３の開口５５端は、前記裏紙５３を若干長く延出して前記開口５５における薬品の出し入れを容易にしている。前記表紙５２は透明で印字可能な合成樹脂フィルム、例えば透明なＰＥＴフィルムからなる一方、前記裏紙５３は上質紙からなる。
【００２３】
ラベルシート６０は、上質紙からなる基材６１の裏面側に粘着剤６２を塗布し、この粘着剤６２を剥離紙６３で被覆してなり、前記基材６１にスリット６４で複数のラベル６５を区画形成している。そして、このラベルシート６０は、裏紙５３の開口５５端側に、接着剤６６で接着するとともに、ミシン目６７を設けて薬袋５１ａから分離可能としている。
【００２４】
本実施形態のその他の構成は上述した第１の実施形態と同様であるからその説明は省略する。本実施形態にあっても、第１の実施形態と同様にして、表紙５２と各ラベル６５にそれぞれ設けた医薬品情報印字部（図示せず）に所定の情報を印字して、使用することができる。
【００２５】
なお、本発明は、上述した各実施形態に限定されるものではなく、例えば、第３及び第４の各実施形態における開口３５，５５を反対側であるラベルシート４０，６０側に設けてもよい。また、第４の実施形態において、ラベルシート６０の裏紙５３への接着は、開口５５側端の剥離紙６３を帯状に剥離して、露出した粘着剤６２により基材６１を裏紙５３に接着するよう構成することもできる。さらに、本発明に係るラベルシート付き袋体は、ラベルシート付き薬袋１，２１，３１，５１のほか、部品収容用のラベルシート付き部品袋などの他の用途にも適用可能である。またさらに、表紙２，５２や裏紙３３は透明でなくてもよく、加えて印字対象も表紙２，３２，５２に限らない。
【００２６】
【発明の効果】
以上説明したところで明らかなように、本願の請求項１に係る発明によれば、ラベルと袋体の各印字部に対して一度の印字動作で同時に印字できるので、印字した情報の照合が容易であるという効果を奏する。
【００２７】
また、本願の請求項２に係る発明によれば、ラベルと袋体の各印字部に対して一度の印字動作で同時に印字できるので、印字した情報の照合が容易であり、通常の注意力をもって行えば、収容物となる薬品の取り違えをする虞はないので、薬袋として好適であるという効果を奏する。
【００２８】
さらに、本願の請求項３に係る発明によれば、上述した請求項１又は請求項２に係る発明の効果に加えて、表紙または裏紙の一方が透明なので、内容物の確認が容易であるという効果を奏し得る。
【００２９】
さらにまた、本願の請求項４に係る発明によれば、上述した請求項１又は請求項２に係る発明の効果に加えて、封緘片を設けたので袋体の開口の封鎖が容易であるという効果を奏する。
【００３０】
またさらに、本願の請求項５に係る発明によれば、上述した請求項１又は請求項２に係る発明の効果に加えて、ラベルシートと袋体とを別体に構成したので、剥離紙や粘着剤の使用を少なくすることができ、省資源と環境保護に貢献できるという効果を奏する。
【図面の簡単な説明】
【図１】第１の実施形態を示す平面図。
【図２】図１のＡ−Ａ線断面図。
【図３】第２の実施形態を示す断面図。
【図４】第３の実施形態を示す平面図。
【図５】図４のＢ−Ｂ線断面図。
【図６】同実施形態における開口を封鎖した状態の断面図。
【図７】第４の実施形態を示す断面図。
【符号の説明】
１，２１，３１，５１　　　ラベルシート付き薬袋
１ａ，３１ａ，５１ａ　　　薬袋
２，３２，５２　　　表紙
３，３３，５３　　　裏紙
４，３４，５４，６６　　　接着剤
５，２５，３５，５５　　　開口
６，１１，３６，４１，６１　　　基材
７，１２，３７，４２，６２　　　粘着剤
８，１３，３８，４３，６３　　　剥離紙
９，３９，６７　　　ミシン目
１０，４０，６０　　　ラベルシート
１４，４４，６４　　　スリット
１５，４５，６５　　　ラベル
１６，４６　　　患者名印字欄
１７，４７　　　薬品情報印字欄
３６ａ　　　封緘片
【図１】
2004059108.tif 000003
【図２】
2004059108.tif 000004
【図３】
2004059108.tif 000005
【図４】
2004059108.tif 000006
【図５】
2004059108.tif 000007
【図６】
2004059108.tif 000008
【図７】
2004059108.tif 000009